(57)【要約】【課題】各チャンネルのうち、所定の時間帯において放送する各番組の並びが互いに同じであるチャンネルが複数ある場合、複数のチャンネルの代わりに、複数チャンネルのうちの１つのチャンネルが放送する番組を示す情報を表示部に表示すること。【解決手段】各チャンネルにおいて、所定の時間帯で放送される各番組の並びが同じであるチャンネルが複数チャンネル存在する場合、システム制御部１１は複数チャンネルの代わりに、複数チャンネルのうちの１つのチャンネルが放送する番組を示す情報を表示器７に表示する表示制御を行う。【選択図】  図２
2004229188.tif 000002
【特許請求の範囲】
【請求項１】
各チャンネルで各時間帯に放送される各番組の番組情報を外部の装置から受信する受信部と、当該番組情報に基づいて各チャンネル毎に放送する番組を示す情報を一覧表示する表示部とを備える放送受信装置であって、
前記各チャンネルにおいて、所定の時間帯で放送される各番組の並びが同じであるチャンネルが複数チャンネル存在する場合、当該複数チャンネルの代わりに、当該複数チャンネルのうちの１つのチャンネルが放送する番組を示す情報を前記表示部に表示する表示制御を行う表示制御手段を備えることを特徴とする放送受信装置。
【請求項２】
更に、前記表示部に表示された各チャンネルで放送される番組を示す情報のうち１つを指示する指示手段と、
当該指示手段により番組を示す情報が指示されると、前記表示部に一覧表示される全ての番組を示す情報のうち、当該指示された情報と同じ情報を検索する検索手段とを備え、
前記表示制御手段は更に、当該検索手段が検索した情報が示す番組を放送するチャンネルが前記所定の時間帯に放送する全ての番組を示す情報群を、前記指示手段により指示した番組を放送するチャンネルが放送する番組群の表示位置の近傍に表示させる制御を行うことを特徴とする請求項１に記載の放送受信装置。
【請求項３】
更に、前記表示部に一覧表示される全ての番組を示す情報のうち、前記指示手段により指示された情報と同じ情報が存在する場合、前記表示制御手段は当該存在を示すメッセージを前記表示部に表示させる制御を行うことを特徴とする請求項２に記載の放送受信装置。
【請求項４】
更に、前記指示手段が過去に指示した情報を格納する格納手段を備え、
前記指示手段が指示した情報が当該格納手段に既に格納されている場合には、前記表示制御手段は、当該格納の旨を示すメッセージを前記表示部に表示させる制御を行うことを特徴とする請求項３に記載の放送受信装置。
【請求項５】
各チャンネルで各時間帯に放送される各番組の番組情報を外部の装置から受信する受信部と、当該番組情報に基づいて各チャンネル毎に放送する番組を示す情報を一覧表示する表示部とを備える放送受信装置が行う放送受信方法であって、
前記各チャンネルにおいて、所定の時間帯で放送される各番組の並びが同じであるチャンネルが複数チャンネル存在する場合、当該複数チャンネルの代わりに、当該複数チャンネルのうちの１つのチャンネルが放送する番組を示す情報を前記表示部に表示する表示制御を行う表示制御工程を備えることを特徴とする放送受信方法。
【請求項６】
各チャンネルで各時間帯に放送される各番組の番組情報を外部の装置から受信する受信部と、当該番組情報に基づいて各チャンネル毎に放送する番組を示す情報を一覧表示する表示部とを備える放送受信装置に、
前記各チャンネルにおいて、所定の時間帯で放送される各番組の並びが同じであるチャンネルが複数チャンネル存在する場合、当該複数チャンネルの代わりに、当該複数チャンネルのうちの１つのチャンネルが放送する番組を示す情報を前記表示部に表示する表示制御を行う表示制御工程を実行させることを特徴とするプログラム。
【請求項７】
請求項６に記載のプログラムを格納することを特徴とするコンピュータ読み取り可能な記憶媒体。
【発明の詳細な説明】
【０００１】
【発明の属する技術分野】
本発明は、各チャンネル毎に放送される各番組を示す情報を一覧表示する放送受信技術に関するものである。
【０００２】
【従来の技術】
近年新しいテレビ放送方式としてデジタル放送が注目されている。従来の通信衛星を使ったＣＳ（Ｃｏｍｍｕｎｉｃａｔｉｏｎ  Ｓａｔｅｌｌｉｔｅ）放送に加え、ＢＳ（Ｂｒｏａｄｃａｓｔ  Ｓａｔｅｌｌｉｔｅ）デジタル放送や、いわゆる１１０°ＣＳ放送も始まり、チャネル数が増え、視聴者が選択可能な番組が増加した。今後もデジタル地上波テレビ放送が開始される予定であり、番組数がますます増加し、視聴者がどの番組を選択するか迷う状況になると予想される。
【０００３】
デジタル放送では従来の映像・音声情報に加え、文字・図形などの情報も多重化して視聴者のテレビに対して伝送することができる。そこで数多くの番組の中から番組の選択を容易にするため、視聴者のテレビの表示画面上で番組を選択可能にするためのＥＰＧ（Ｅｌｅｃｔｒｏｎｉｃ  Ｐｒｏｇｒａｍ  Ｇｕｉｄｅ）と呼ばれる情報が放送局から放送番組の信号に多重化されて視聴者のテレビに送信される。このＥＰＧとは番組表を作成するための情報である。視聴者のテレビに備わっているデジタル放送受信装置はこのＥＰＧを元に視聴者のテレビの表示画面上で番組を選択するための画面であるＥＰＧ画面を表示画面上に表示するが、実際の表示画面はテレビを製作する各メーカー・機種によって異なる。
【０００４】
図１０はＥＰＧ画面を含む表示画面の一例を示す図である。８０はテレビの表示画面で、表示画面８０上には、最後に見ていた番組の縮小画面８１、リモコン案内画面８２、そしてＥＰＧ画面８３が表示されている。図１１はＥＰＧ画面８３の詳細を示す図である。同図にはＢＳ横浜と関東ＢＳテレビが７時に放送を開始する番組のタイトル、８時に放送を開始する番組のタイトル、９時に放送を開始する番組のタイトルが示されている。またＢＳ横浜は２つのチャンネル（ＢＳ２１０，ＢＳ２１１）で放送されている。夫々のチャンネルにはＳｅｒｖｉｃｅ＿ｉｄが付けられており、よって同図のＥＰＧ画面には縦方向に同一のＳｅｒｖｉｃｅ＿ｉｄの番組のタイトルが、放送開始時刻順に表示されている。
【０００５】
また、デジタル放送が始まったとはいえ従来のアナログ放送を受信している世帯の方が現在は多い。そのためデジタル放送による番組、アナログ放送による番組の両方のＥＰＧを統合し、両方の放送方式による番組のＥＰＧ画面を表示する技術が従来技術として開示されている（特許文献１参照）。
【０００６】
また地上波放送においては異なる放送局（例えばＮＨＫ大阪とＮＨＫ京都）で同一番組が放送されることがある。このような場合にＥＰＧに同一の番組を流す放送局のリストを添付して放送することで、受信側が同一番組の内容を表示しないような受信装置が従来技術として開示されている（特許文献２参照）。
【０００７】
【特許文献１】
特開２０００−３２４４１０号公報
【特許文献２】
特開２０００−４４２６号公報
【０００８】
【発明が解決しようとする課題】
図１１に示したＥＰＧ画面によると、ＢＳ２１０とＢＳ２１１は夫々異なるＳｅｒｖｉｃｅ＿ｉｄで指定されるチャンネルであるが、夫々同じ放送局であるＢＳ横浜が放送するものであるので、夫々の時間帯で同じ番組が放送されている。このように、複数のチャンネルで同一時刻に同一の番組が同一の放送局から放送されるような場合、ｓｅｒｖｉｃｅ＿ｉｄの違いは放送内容の視聴や録画に影響はない。つまり視聴者にとってはｓｅｒｖｉｃｅ＿ｉｄの違いは意味をなさないので、このような場合は同一内容を表示する必要はないと考えられる。
【０００９】
また、上記特許文献１には、ＥＰＧを統合して表示すると開示されているだけで、ＥＰＧを用いた番組の視聴・録画機能については開示されていない。
【００１０】
また、上記特許文献２に開示されているように、ＥＰＧに同一の番組を流す放送局のリストを添付して放送する場合、予め放送側でこのリストを作成する必要があった。
【００１１】
本発明は以上の問題に鑑みてなされたものであり、各チャンネルのうち、所定の時間帯において放送する各番組の並びが互いに同じであるチャンネルが複数ある場合、複数のチャンネルの代わりに、複数チャンネルのうちの１つのチャンネルが放送する番組を示す情報を表示部に表示する放送受信技術を提供することを目的とする。
【００１２】
【課題を解決するための手段】
本発明の目的を達成するために、例えば本発明の放送受信装置は以下の構成を備える。
【００１３】
すなわち、各チャンネルで各時間帯に放送される各番組の番組情報を外部の装置から受信する受信部と、当該番組情報に基づいて各チャンネル毎に放送する番組を示す情報を一覧表示する表示部とを備える放送受信装置であって、
前記各チャンネルにおいて、所定の時間帯で放送される各番組の並びが同じであるチャンネルが複数チャンネル存在する場合、当該複数チャンネルの代わりに、当該複数チャンネルのうちの１つのチャンネルが放送する番組を示す情報を前記表示部に表示する表示制御を行う表示制御手段を備えることを特徴とする。
【００１４】
本発明の目的を達成するために、例えば本発明の放送受信方法は以下の構成を備える。
【００１５】
すなわち、各チャンネルで各時間帯に放送される各番組の番組情報を外部の装置から受信する受信部と、当該番組情報に基づいて各チャンネル毎に放送する番組を示す情報を一覧表示する表示部とを備える放送受信装置が行う放送受信方法であって、
前記各チャンネルにおいて、所定の時間帯で放送される各番組の並びが同じであるチャンネルが複数チャンネル存在する場合、当該複数チャンネルの代わりに、当該複数チャンネルのうちの１つのチャンネルが放送する番組を示す情報を前記表示部に表示する表示制御を行う表示制御工程を備えることを特徴とする。
【００１６】
本発明の目的を達成するために、例えば本発明のプログラムは以下の構成を備える。
【００１７】
すなわち、各チャンネルで各時間帯に放送される各番組の番組情報を外部の装置から受信する受信部と、当該番組情報に基づいて各チャンネル毎に放送する番組を示す情報を一覧表示する表示部とを備える放送受信装置に、
前記各チャンネルにおいて、所定の時間帯で放送される各番組の並びが同じであるチャンネルが複数チャンネル存在する場合、当該複数チャンネルの代わりに、当該複数チャンネルのうちの１つのチャンネルが放送する番組を示す情報を前記表示部に表示する表示制御を行う表示制御工程を実行させることを特徴とする。
【００１８】
【発明の実施の形態】
以下添付図面を参照して、本発明の放送受信装置をデジタル放送、アナログ放送の放送受信装置に適用した好適な実施形態に従って詳細に説明する。
【００１９】
［第１の実施形態］
図２はデジタル放送のみを受信可能な、本実施形態における放送受信装置の基本構成を示すブロック図である。１１は本デジタル放送受信装置全体を制御するシステム制御部、１０はシステム制御部１１と後述の各回路を結ぶバスである。
【００２０】
デジタル放送波を受信し、システム制御部１１の指示に従って所望の周波数を選択するデジタルチューナー１からの信号は復調＆エラー訂正回路２に入力され、復調＆エラー訂正回路２は復調および通信路で発生したエラー検出、訂正を行い、トランスポートストリームと呼ばれる形式のデジタルデータを生成する。
【００２１】
生成されたトランスポートストリームはデマルチプレクサ３に送られ、デマルチプレクサ３はシステム制御部１１からの制御信号に基づいて、トランスポートストリームから所望の映像ストリームＤ１、音声ストリームＤ２、及びＥＰＧデータＤ３を特定し、夫々を映像デコーダ４、音声デコーダ１４、そしてメモリ１２とＥＰＧデコーダ１９に出力する。
【００２２】
デマルチプレクサ３から出力された映像ストリームＤ１信号は、映像デコーダ４でＭＰＥＧ２に従ったデコード処理が施され、非圧縮の映像信号に復号される。合成回路５は映像デコーダ４が復号した映像信号と後述する画面生成部２０が生成するＥＰＧ映像信号とを合成し、映像出力回路６に合成信号として出力する。映像出力回路６は入力した合成信号をＣＲＴ等の表示器７に適した信号に変換し、表示器７に合成信号に従った映像を表示する。
【００２３】
一方、デマルチプレクサ３から出力された音声ストリームＤ２信号は、音声デコーダ１４でＭＰＥＧ２に従ったデコード処理が施され、非圧縮の音声信号に復号される。復号された音声信号はデジタル・アナログコンバータ（ＤＡＣ）１５でアナログ信号に変換され、アンプ１６にて増幅される。そしてスピーカ（ＳＰ）１７は増幅された音声信号に従った音を出力する。
【００２４】
操作部１３はユーザがデジタル放送受信装置に対してチャンネル切り替え、ＥＰＧ画面表示などの指示を入力するためのスイッチ群により構成されているＩ／Ｆ装置である。なお操作部１３はバス１０に直接接続された機器であってもよいし、バス１０に対して無線で指示を送るリモートコントローラであってもよい。この場合、バス１０には無線により指示を受信するための受信部を繋ぐ必要がある。
【００２５】
以上の構成を備えるデジタル放送受信装置が上記ＥＰＧデータを用いて行う処理について以下説明する。ＥＰＧには、ＳＤＴ（Ｓｅｒｖｉｃｅ  Ｄｅｓｃｒｉｐｔｉｏｎ  Ｔａｂｌｅ）という編成チャネル名称・放送事業者の名称等を表すデータ、ＥＩＴ（Ｅｖｅｎｔ  Ｉｎｆｏｒｍａｔｉｏｎ  Ｔａｂｌｅ）という放送予定の番組を表すデータ、ＴＯＴ（Ｔｉｍｅ  Ｏｆｆｓｅｔ  Ｔａｂｌｅ）という現在の日付時刻を示すデータ等が含まれる。
【００２６】
図１２にＥＰＧの構成の概念図を示す。ＥＰＧデータ１１０１には上述の通りＴＯＴ１１０２，ＳＤＴ１１０４，ＥＩＴ１１０５が含まれているが、ＳＤＴ１１０４とＥＩＴ１１０５とはチャンネル毎に互いに関連づけられて保持されている。例えばチャンネル１（ｃｈ＝１）に対するＳＤＴ、ＥＩＴ、チャンネル２（ｃｈ＝２）に対するＳＤＴ、ＥＩＴというように、ＳＤＴとＥＩＴはチャンネル毎にセットで保持されている。このようにチャンネル毎にセットで保持することで、チャンネル１を例に取ると、チャンネル１に対応するセットを参照することで、チャンネル１で放送される全ての番組に関する情報やチャンネル１で番組を放送する放送局、チャンネル１のチャンネル名称などを把握することが出来る。
【００２７】
図３にＥＩＴの構成の概念図を示す。上述の通り、図３に示すＥＩＴは１つのチャンネルに対するＥＩＴを示すものである。
【００２８】
ＥＩＴにはチャンネルの番号を示すＳｅｒｖｉｃｅ＿ｉｄ（図１２に示した例ではｃｈに対応している）が含まれている。またＥＩＴには、Ｓｅｒｖｉｃｅ＿ｉｄで表されるチャンネルにおいて放送予定の番組に付けられた番号であるｅｖｅｎｔ＿ｉｄ、そしてこの番組の放送開始時刻を表す情報であるｓｔａｒｔ＿ｔｉｍｅ、放送時間長を表す情報であるｄｕｒａｔｉｏｎ，番組名を表す情報であるｅｖｅｎｔ＿ｎａｍｅ＿ｃｈａｒ、番組内容の説明文を表す情報であるｔｅｘｔ＿ｃｈａｒのセットが、Ｓｅｒｖｉｃｅ＿ｉｄで表されるチャンネルで放送される番組の数だけ含まれる。よってＥＩＴを参照することで、各チャンネルで放送される番組名や放送開始時間等を把握することが出来る。
【００２９】
ＥＰＧ画面は、上記ＴＯＴに含まれる現在の時刻を元に、ＳＤＴに含まれるチャネル名称と、ＥＩＴに含まれるｓｅｒｖｉｃｅ＿ｉｄ、放送開始時刻、番組名、番組内容説明のデータを放送開始時刻に従って表示するものである。
【００３０】
本実施形態におけるデジタル放送受信装置がＥＰＧ画面を表示するための処理を、同処理のフローチャートを示す図４を用いて以下説明する。
【００３１】
デジタルチューナー１には常にデジタル放送波が入力されるので、上記デジタルチューナー１、復調＆エラー訂正回路２、デマルチプレクサ３の夫々は常に上記動作を行っている。システム制御部１１は、操作部１３からＥＰＧ画面表示指示が入力されれば即座に対応できるように、デマルチプレクサ３から定期的に出力されるＥＰＧデータＤ３をメモリ１２に保持する処理を行っている。
【００３２】
そしてシステム制御部１１が、操作部１３からのＥＰＧ画面表示指示の入力を検知すると（ステップＳ４０）、システム制御部１１は予めメモリ１２に保持している最新のＥＰＧデータＤ３をメモリ１２から読み出す（ステップＳ４１）。システム制御部１１は読み出したＥＰＧデータＤ３に含まれるＴＯＴ中の、現在時刻を示す情報を参照し、現在時刻から所定時間後まで（表示時間帯）で放送される番組のみを以下の処理対象とする。例えば現在時刻が７時２８分であった場合には７時から９時台までの３時間分を以下の処理対象とする。
【００３３】
まず最初の有効なＳｅｒｖｉｃｅ＿ｉｄ（注目Ｓｅｒｖｉｃｅ＿ｉｄ）で特定されるＥＩＴデータ（第１のＥＩＴデータ）を表示対象（表示データ）とする（ステップＳ４２）。有効なＳｅｒｖｉｃｅ＿ｉｄとは、図３に示す構成を有するＥＩＴに付けられたチャンネル番号を指す。ここで注目Ｓｅｒｖｉｃｅ＿ｉｄは、現在受信中のチャンネルに対応するＳｅｒｖｉｃｅ＿ｉｄである。更に次の有効なＳｅｒｖｉｃｅ＿ｉｄで特定されたＥＩＴデータ（第２のＥＩＴデータ）をテンポラルデータとする（ステップＳ４３）。
【００３４】
そして上記第１のＥＩＴデータのＳｅｒｖｉｃｅ＿ｉｄと、上記第２のＥＩＴデータのＳｅｒｖｉｃｅ＿ｉｄの編成チャネル名称・放送事業者（放送局）の名称等が同じであるか否かを判断するために、第１のＥＩＴデータとセットになっているＳＤＴに含まれる編成チャネル名称・放送事業者の名称等を表すデータ（ＴＳ＿ｉｄ）と、第２のＥＩＴデータとセットになっているＳＤＴのＴＳ＿ｉｄとを比較する（ステップＳ４４）。
【００３５】
夫々のＴＳ＿ｉｄが異なっている場合、夫々のＳｅｒｖｉｃｅ＿ｉｄは互いに異なる編成チャネル名称・放送事業者（放送局）によるものであるので、第２のＥＩＴデータに含まれる各情報、即ち、上記注目Ｓｅｒｖｉｃｅ＿ｉｄ、放送開始時刻、番組名、番組内容説明を表示対象のデータとする（ステップＳ４７）。
【００３６】
一方、夫々のＴＳ＿ｉｄが同じである場合には、夫々のＳｅｒｖｉｃｅ＿ｉｄは互いに同じ編成チャネル名称・放送事業者（放送局）によるものであるので、次に、夫々のＳｅｒｖｉｃｅ＿ｉｄに対応するチャンネルにおいて表示時間帯で放送する番組の並びが同じであるか否かを判断する（ステップＳ４５）。
【００３７】
具体的には、第１のＥＩＴデータに含まれる表示時間帯内の各ｅｖｅｎｔ＿ｉｄの並びと第２のＥＩＴデータに含まれる表示時間帯内の各ｅｖｅｎｔ＿ｉｄの並びとを比較しすることで行われる。ここで表示時間帯内の各ｅｖｅｎｔ＿ｉｄの並びが第１のＥＩＴデータと第２のＥＩＴデータとで互いに異なっていれば、夫々は同じ編成チャネル名称・放送事業者（放送局）によるものではあるが、夫々のチャンネルでは表示時間帯では異なる番組が放送されていることになる。よって第２のＥＩＴデータに含まれる各情報、即ち、上記注目Ｓｅｒｖｉｃｅ＿ｉｄ、放送開始時刻、番組名、番組内容説明を表示対象のデータとする（ステップＳ４７）。
【００３８】
なおステップＳ４５では、第１のＥＩＴデータに含まれる表示時間帯内の各ｅｖｅｎｔ＿ｉｄの並びと第２のＥＩＴデータに含まれる表示時間帯内の各ｅｖｅｎｔ＿ｉｄの並びとで、１つでも異なれば処理はステップＳ４７に移行する。
【００３９】
一方、表示時間帯内の各ｅｖｅｎｔ＿ｉｄの並びが第１のＥＩＴデータと第２のＥＩＴデータとで互いに同じである場合、夫々は同じ編成チャネル名称・放送事業者（放送局）によるもので、且つ夫々のチャンネルで表示時間帯では同じ番組が放送されていることになるので、テンポラルデータをメモリ１２から削除する（ステップＳ４６）。なおＥＩＴデータを削除すれば、対応するＳＤＴデータは不要となるので、本ステップでは対応するＳＤＴを更に削除しても良い。
【００４０】
なおステップＳ４４，４５による処理に、第１のＥＩＴデータに含まれる表示時間帯内のｓｔａｒｔ＿ｔｉｍｅと第２のＥＩＴデータに含まれる表示時間帯内のｓｔａｒｔ＿ｔｉｍｅとを比較する処理を加えることで、表示時間帯で２つのチャンネル（第１のＥＩＴデータに含まれるＳｅｒｖｉｃｅ＿ｉｄに対応するチャンネルと、第２のＥＩＴデータに含まれるＳｅｒｖｉｃｅ＿ｉｄに対応するチャンネル）で放送される各番組が同じであるか否かの判断精度をより高めることが出来る。
【００４１】
以上のステップＳ４３〜ステップＳ４７までの処理を全てのチャンネルに対して行う（ステップＳ４９）。そしてシステム制御部１１は表示対象としてメモリ１２に残っているＥＩＴデータとセットになっているＳＤＴを参照して、表示対象データにチャンネル名称を加える（ステップＳ５０）。
【００４２】
そしてシステム制御部１１は表示対象データである、番組名・時刻・チャネル名称・Ｓｅｒｖｉｃｅ＿ｉｄの各表示データをＥＰＧデータとしてＥＰＧデコーダ１９に出力する（ステップＳ５１）。
【００４３】
そしてＥＰＧデコーダ１９は、メモリ１２から上記で選択された番組と時刻とチャネル名称とＳｅｒｖｉｃｅ＿ｉｄの表示データに対してデコード処理を施し、復号されたＥＰＧデータＤ４を画面生成部２０に出力する。画面生成部２０はＥＰＧデータＤ４に基づきＥＰＧを構成するためのキャラクタ信号を合成回路５に出力する。合成回路５は映像デコーダ４から出力された非圧縮の映像信号と画像生成部２０から出力された上記キャラクタ信号とを合成し、合成結果である合成信号を映像出力回路６に出力する。合成信号は映像出力回路６を介して表示器７にＥＰＧ映像として表示される。
【００４４】
このＥＰＧ映像の表示例を図１に示す。Ｓｅｒｖｉｃｅ＿ｉｄ（ＢＳ２１０、ＢＳ２２０，ＢＳ２３０）、及びチャネル名称を一番上に表示し、現在受信中のチャネルを左端表示する。図１１に示した表示画面では、ＢＳ横浜で放送される番組は２つのチャンネルで放送されており冗長していたが、図１に示す表示画面では、ＢＳ２１０、ＢＳ２１１のうち一方（ＢＳ２１０）のみを表示するので、表示時間帯で放送する番組に冗長がないチャネルを表示することが出来る。
【００４５】
なお上記処理は、表示時間帯で現在受信中のチャンネルが放送する番組の並びと同じ並びを有するチャンネルが放送する番組名や放送時間の表示を省くものであるが、ステップＳ４２〜ステップＳ４９までの処理を全てのＳｅｒｖｉｃｅ＿ｉｄの組み合わせに対して行うことで、全てのチャンネルにおいて表示時間帯で放送する番組に冗長がないチャネルを表示することが出来る。
【００４６】
よって本実施形態における放送受信装置によって、同じ番組内容のチャンネルは表示されないのでその分、別なチャンネルを表示することで視聴者にとって一度に有益な情報を多く提供でき、別のチャンネルを表示するためカーソル等で番組表をスクロールする手間が省け番組選択がしやすい利点がある。
【００４７】
［第２の実施形態］
本実施形態における放送受信装置は、第１の実施形態に加えて、アナログ放送をも受信する。図５は本実施形態における放送受信装置の基本構成を示すブロック図である。図２に示した部分と同じ部分には同じ番号を付けており、その説明を省略する。アナログ放送のデータ放送には水平走査線の映像に影響を与えない部分にデータを重ねて伝送するＶＢＩ（Ｖｅｒｔｉｃａｌ  Ｂｌａｎｋｉｎｇ  Ｉｎｔｅｒｖａｌ）方式がある。
【００４８】
２２はアナログチューナーで、ＶＨＦのアナログテレビ放送波を受信可能で、復調信号を、ＩＦ増幅・ＹＣ分離機能を行うＩＦ部２４に送り、ここから映像信号、音声信号を得ることができる。映像信号はアナログデジタルコンバータ（ＡＤＣ）２８でデジタル信号に変換され、合成回路５に送られる。合成回路５は、映像デコーダ４からの映像信号、もしくはアナログチューナー２２からの映像信号と画像生成部２０からのＥＰＧ映像信号とを合成し、合成信号を映像出力回路６を介して表示器７に表示する。
【００４９】
一方、セレクタ（ＳＥＬ）２９ではＩＦ部２４からの音声信号とＤＡＣ１５からの音声信号との何れかを選択し、選択した方の音声信号をアンプ１６に出力する。そしてアンプ１６は入力した音声信号を増幅させ、スピーカ１７に出力し、スピーカ１７は増幅された音声信号を受け、これを音として出力する。
【００５０】
一方アナログチューナー２２からの復調信号はＶＢＩデータスライサ２３にも送られる。そしてここからＥＰＧデータを含むＶＢＩデータが抽出され、メモリ１２に蓄えられる。デジタルチューナー１はＢＳデジタル放送を受信するものとする。つまり本実施形態における放送受信装置はＶＨＦアナログ放送とＢＳデジタル放送を受信可能となる。
【００５１】
また記録Ｉ／Ｆ２６は、デマルチプレクサ３からの映像ストリームＤ１と音声ストリームＤ２をシステム制御部１１からの指示により取り込み、ハードディスク等の大容量情報記憶装置などにより構成されている記録装置２７に記録する。またシステム制御部１１からの指示で記録装置２７に蓄えられたデータは、記録Ｉ／Ｆ２６から映像ストリームＤ１と音声ストリームＤ２として出力され、夫々上記第１の実施形態と同様の処理が行われ、映像、音声として視聴することが出来る。更に本実施形態における放送受信装置はＥＰＧ画面を介して番組の視聴予約・録画予約が可能であり、録画する映像、音声はこの記録装置２７に記録される。また予約するための情報、即ち、予約する番組が放送されるチャンネル番号や予約開始時間、予約終了時間などもまた記録装置２７に記録される。
【００５２】
上記ＶＢＩデータに含まれるＥＰＧデータには、チャネル番号・チャネル名称・開始時刻・放送時間長・番組名・番組内容説明等が含まれている。アナログ放送はデジタル放送と違い異なるチャネルで同じ番組を放送することは無いとする。これらのアナログ放送のＥＰＧデータは、第１の実施形態で説明したデジタル放送のＥＰＧデータである事業者名・チャネル番号＝ｓｅｒｖｉｃｅ＿ｉｄ・番組番号＝ｅｖｅｎｔ＿ｉｄ・開始時刻・放送時間長・番組名・番組内容説明と番組番号の有無を除いてほぼ等価である。番組番号が無くてもＥＰＧ画面作成に問題はない。
【００５３】
図６Ａ，６Ｂは、アナログ放送とデジタル放送とを受信可能な放送受信装置がＥＰＧデータを作成する処理のフローチャートである。
【００５４】
図６Ａにおいてシステム制御部１１が、操作部１３からのＥＰＧ画面表示指示の入力を検知すると（ステップＳ６０）、システム制御部１１は予めメモリ１２に保持しているデジタル放送の最新のＥＰＧデータＤ３をメモリ１２から読み出す（ステップＳ６１）。システム制御部１１は読み出したＥＰＧデータＤ３に含まれるＴＯＴ中の、現在時刻を示す情報を参照し、現在時刻から所定時間後まで（表示時間帯）で放送される番組のみを以下の処理対象とする。例えば現在時刻が７時２８分であった場合には７時から９時台までの３時間分を以下の処理対象とする。そして最初に規定されているＥＰＧデータを表示データとする（ステップＳ６２）。
【００５５】
次に、図４に示したフローチャートのステップＳ４３〜ステップＳ４７までの処理を最後のＳｅｒｖｉｃｅ＿ｉｄに達するまで行う（ステップＳ６３，ステップＳ６４）。以上の処理により、表示対象のＥＰＧデータを特定することが出来るので、あらに表示対象のＥＰＧデータの夫々とセットになっているＳＤＴを参照して、表示対象データにチャンネル名称を加える（ステップＳ６５）。
【００５６】
次にシステム制御部１１は、予めメモリ１２に保持しているアナログ放送のＥＰＧデータをメモリ１２から読み出す（ステップＳ６６）。そして全てのチャンネルに対するＥＰＧデータを表示対象データとする（ステップＳ６７）。ステップＳ６８以降の処理は図６Ｂに示す。
【００５７】
図６Ｂにおいて、システム制御部１１は現在受信中の番組がＢＳデジタル放送であるか否かを判断し（ステップＳ６８）、ＢＳデジタル放送である場合には処理をステップＳ７０に進め、システム制御部１１は現在受信中のｓｅｒｖｉｃｅ＿ｉｄ、もしくは受信中のＴＳ＿ｉｄの別のｓｅｒｖｉｃｅ＿ｉｄの番組名・時刻・チャネル名称・ｓｅｒｖｉｃｅ＿ｉｄの各表示データをＥＰＧデータとして表示チャネル分ＥＰＧデコーダ１９に出力し、表示器７に表示する（ステップＳ７０）
一方、ＶＨＦアナログ放送を受信中なら、受信中の番組名・チャネル名称・時刻・チャネル番号の各表示データをＥＰＧデータとして表示チャネル分ＥＰＧデコーダ１９に出力し、表示器７に表示する（ステップＳ７１）。
【００５８】
ここで図７Ａに示すようにユーザーが視聴予約または録画予約しようとしてデジタル放送のＥＰＧ画面で「ＢＳ横浜」の９時台の番組『ドラマ「大黒埠頭」』を操作部１３を用いて選択したとする。するとデジタル・アナログに限らずステップＳ６５，ステップＳ６７で処理された表示対象のＥＰＧデータを対象にして、同じ番組名を持つ番組の検索を行う（ステップＳ７２）。
【００５９】
そして同じ番組名を放送するチャンネルがあれば（ステップＳ７３）、このチャンネルが表示時間帯に放送する全ての番組を、ステップＳ７２で選択された番組を放送するチャンネルが表示時間帯に放送する全ての番組を表示する表示位置の左に隣接させて表示させる（ステップＳ７４）。ステップＳ７４における表示例を図７Ｂに示す。
【００６０】
同図の表示例は図７Ｂに対応したものであり、『ドラマ「大黒埠頭」』がアナログ放送の「テレビ横浜」で同じ時間に放送されるので、「テレビ横浜」の番組表が「ＢＳ横浜」の右側に挿入表示される。つまり、同じ番組名を持つチャンネルがデジタル放送やアナログ放送といった放送形態の枠を越えて隣接して表示されることなる。なお表示する位置はこれに限定されるものではなく、右隣でも良い。
【００６１】
よって本実施形態における放送受信装置によって、同じ番組名を持つチャンネルがデジタル放送やアナログ放送に関わらず、隣接して表示されることになるので視覚的に番組選択が容易になる効果がある。更に、アナログ放送の他にデジタルでも放送されることを知り、ＶＴＲ（図示せず）にアナログで録画しようと思っていたが、記録装置２７はＥＰＧ画面から容易に録画予約可能なので録画予約操作が簡単になる効果がある。
【００６２】
またアナログ放送の他にデジタルでも放送されることを知り、アナログ放送は標準画質だがデジタル放送は高画質なのでデジタルで見ようという効果がある。逆にデジタル放送を見ようと思っていたが、その時間は他のデジタル放送番組を記録装置２７に予約録画するのでアナログで見ようといった番組視聴の選択の幅が広がる効果がある。
【００６３】
［第３の実施形態］
本実施形態における放送受信装置は、上記第２の実施形態における放送受信装置が行う処理に加えて、予約するために選択した番組が放送される時間帯に既に他の番組が予約されているか否かをチェックしてユーザに報知する。
【００６４】
図８は本実施形態における放送受信装置が行う処理のフローチャートである。同図のフローチャートに従った処理は図７Ｂに示した処理にステップＳ８５，Ｓ８６，Ｓ８７に示した各処理を加えたものである。よって図７Ｂに示した各ステップと同じステップには同じ番号を付けており、その説明を省略する。
【００６５】
上記ステップＳ７３で、選択した番組を示す情報と同じ情報が検索されていれば、ステップＳ７４の次にシステム制御部１１は画面生成部２０に”別のチャネルで同じ番組が放送されます”というメッセージを送る。画像生成部２０はこのメッセージをＥＰＧ画面上に表示して（ステップＳ８５）、同じ番組が見つかったことを明確に伝える。
【００６６】
本実施形態における放送受信装置は第２の実施形態における放送受信装置と同様に視聴予約または録画予約可能であるので、システム制御部１１は選択した番組が放送される時間帯に既に視聴予約または録画予約がされていないか調べる（ステップＳ８６）。既に予約された番組については記録装置２７にチャンネル番号や予約開始時間、予約終了時間などが記録される。よってこれら番組予約記録情報を参照することで、選択した番組が放送される時間帯に既に他の番組が予約されているか否かを調べることが出来る。
【００６７】
ステップＳ８６による処理により、選択した番組が放送される時間帯に既に他の番組が予約されている場合には、システム制御部１１は画像生成部２０に“この時間帯は予約されています”というメッセージを送る。画像生成部２０はこのメッセージをＥＰＧ画面上に表示し（ステップＳ８７）、ユーザに警告を報知する。上記処理による表示器７の表示画面例を図９に示す。
【００６８】
同図の画面では、予約するために選択した番組（「ＢＳ横浜」の９時台の番組『ドラマ「大黒埠頭」』）と同じ番組が他のチャンネルで見つかったので、そのことを示すメッセージ９０１がＥＰＧ画面９００上に表示されている。なお、この場合、見つけたチャンネルの番号をメッセージ９０１と共に表示しても良い。また、同図の画面では、予約するために選択した番組が放送される時間帯に既に他の番組が予約されているので、そのことを示すメッセージ９０２がＥＰＧ画面９００上に表示されている。
【００６９】
よって本実施形態における放送受信装置によって、“同じ番組があること“および”予約されていること“を明確にメッセージ表示することで上記第２の実施形態による効果を更に高める効果がある。
【００７０】
［他の実施形態］
本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００７１】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００７２】
【発明の効果】
以上の説明により、本発明によって、各チャンネルのうち、所定の時間帯において放送する各番組の並びが互いに同じであるチャンネルが複数ある場合、複数のチャンネルの代わりに、複数チャンネルのうちの１つのチャンネルが放送する番組を示す情報を表示部に表示することができる。
【図面の簡単な説明】
【図１】本発明の第１の実施形態における放送受信装置によるＥＰＧ映像の表示例を示す図である。
【図２】デジタル放送のみを受信可能な、本発明の第１の実施形態における放送受信装置の基本構成を示すブロック図である。
【図３】ＥＩＴの構成の概念図である。
【図４】本発明の第１の実施形態におけるデジタル放送受信装置がＥＰＧ画面を表示するための処理のフローチャートである。
【図５】本発明の第２の実施形態における放送受信装置の基本構成を示すブロック図である。
【図６Ａ】アナログ放送とデジタル放送とを受信可能な本発明の第２の実施形態における放送受信装置がＥＰＧデータを作成する処理のフローチャートである。
【図６Ｂ】アナログ放送とデジタル放送とを受信可能な本発明の第２の実施形態における放送受信装置がＥＰＧデータを作成する処理のフローチャートである。
【図７Ａ】ユーザーが視聴予約または録画予約しようとしてデジタル放送のＥＰＧ画面で「ＢＳ横浜」の９時台の番組『ドラマ「大黒埠頭」』を操作部１３を用いて選択したとする場合を説明するための図である。
【図７Ｂ】ステップＳ７４における表示例を示す図である。
【図８】本発明の第３の実施形態における放送受信装置が行う処理のフローチャートである。
【図９】本発明の第３の実施形態における放送受信装置によるＥＰＧ画面の表示例を示す図である。
【図１０】従来のＥＰＧ画面を含む表示画面の一例を示す図である。
【図１１】図１０に示すＥＰＧ画面８３の詳細を示す図である。
【図１２】ＥＰＧの構成の概念図である。
【図１】
2004229188.tif 000003
【図２】
2004229188.tif 000004
【図３】
2004229188.tif 000005
【図４】
2004229188.tif 000006
【図５】
2004229188.tif 000007
【図６Ａ】
2004229188.tif 000008
【図６Ｂ】
2004229188.tif 000009
【図７Ａ】
2004229188.tif 000010
【図７Ｂ】
2004229188.tif 000011
【図８】
2004229188.tif 000012
【図９】
2004229188.tif 000013
【図１０】
2004229188.tif 000014
【図１１】
2004229188.tif 000015
【図１２】
2004229188.tif 000016